(57)【要約】【課題】各種音響機器に用いられるスピーカに関し、振幅制御による歪改善と豊かな低音再生の両立が課題であった。【解決手段】フレームに設けられた磁気回路と、この磁気回路の磁気ギャップに挿入されるボイスコイルと、このボイスコイルとフレームに固定されるダンパーと、フレームとボイスコイルに固定される振動板とから構成され、ダンパーの内周部コルゲーションに複数の開孔部を設けるとともに、この開孔部を弾性体で覆う構成とすることで、豊かな低音再生と、歪や異常音の改善を実現したものである。【選択図】図１
2011166335.tif 000002
【特許請求の範囲】
【請求項１】
フレームに設けられた磁気回路と、この磁気回路の磁気ギャップに挿入されるボイスコイルと、このボイスコイルと前記フレームに固定されるダンパーと、前記フレームと前記ボイスコイルに固定される振動板とから構成されたスピーカであって、前記スピーカは、前記ダンパーの内周部コルゲーションに複数の開孔部を設けるとともに、この開孔部を弾性体で覆ってなるスピーカ。
【請求項２】
ダンパーとボイスコイルとの接着部に干渉しない範囲で、最内周のコルゲーションに開孔部と弾性体を設けてなる請求項１記載のスピーカ。
【請求項３】
弾性体は、シリコン系樹脂である請求項１または請求項２記載のスピーカ。
【発明の詳細な説明】
【技術分野】
【０００１】
本発明は、各種音響機器に用いられるスピーカに関するものである。
【背景技術】
【０００２】
従来のスピーカについて図面を用いて説明する。
【０００３】
図４は従来のスピーカの半断面図であり、ここで、２１は磁気回路、２２はプレート、２３はマグネット、２４はヨーク、２５はフレーム、２６はボイスコイル、２７はダンパー、２８は振動板、２９はダストキャップである。
【０００４】
従来のスピーカにおいて大きな入力が印加され、ボイスコイルが一定以上に振幅すると、磁気回路の磁束の適正範囲からボイスコイルが離れてしまうことにより、磁気回路からボイスコイルに加わる磁束が変化し、歪が発生する原因となっていた。
【０００５】
このため、大振幅時には大きな歪が発生し易く、スピーカによっては異常音となってしまうこともあるという課題を有するものであった。
【０００６】
これを改善するため、従来からは、振幅が大きくなるとダンパーの変位を積極的に抑え、振幅を制御したスピーカが考えられてきた。
【０００７】
この出願の発明に関する先行技術文献情報としては、例えば、特許文献１が知られている。
【先行技術文献】
【特許文献】
【０００８】
【特許文献１】実開平２−１３３０９７号公報
【発明の概要】
【発明が解決しようとする課題】
【０００９】
しかしながら、振幅を抑制するために、ダンパーの外周部を補強して大振幅を抑えた場合、材料の摩擦等による機械抵抗が増加するため、エネルギーロスが発生して低音の再生レベルが低下するという問題を有するものであった。
【００１０】
また、ダンパーのコルゲーションの幅や高さを、内周から外周に向かって小さくすることで外周部の柔軟度を低下させ、大振幅を抑える従来例もあった。
【００１１】
しかしながら、この方法では振幅制御の効果を十分に得ることはできないものであった。
【００１２】
本発明は上記課題を解決するもので、豊かな低音を再生しながら大振幅時に効果的な振幅制御を備えた、高音質再生できるスピーカを提供することを目的とするものである。
【課題を解決するための手段】
【００１３】
上記課題を解決するために、本発明のスピーカはフレームに設けられた磁気回路と、この磁気回路の磁気ギャップに挿入されるボイスコイルと、このボイスコイルとフレームに固定されるダンパーと、フレームとボイスコイルに固定される振動板とから構成され、ダンパーの内周部コルゲーションに複数の開孔部を設けるとともに、この開孔部を弾性体で覆った構成としたものである。
【発明の効果】
【００１４】
以上の構成とすることで本発明のスピーカは、開孔部のあるダンパー内周部のコルゲーションの柔軟度が高くなり、小振幅ではまずこの部分が変位して、入力信号に忠実な高音質再生が可能になる。
【００１５】
また、大振幅ではダンパーに開孔のない低い柔軟度に設定されたダンパー内周部以外の部分を中心に変位するという作用効果が得られる。
【００１６】
これにより、ボイスコイルに十分磁束が加わる小振幅ではスピーカは容易に振幅して豊かな低音を再生し、大振幅ではダンパーがボイスコイルの振幅を抑えて、歪や異常音を改善できるという効果を奏するものである。
【図面の簡単な説明】
【００１７】
【図１】本発明のスピーカの半断面図
【図２】本発明のスピーカのダンパーの要部拡大平面図
【図３】本発明のスピーカと従来のスピーカとのダンパーの「力−変位」曲線図
【図４】従来のスピーカの半断面図
【発明を実施するための形態】
【００１８】
以下、本発明の実施の形態について図面を用いて説明する。
【００１９】
（実施の形態１）
以下、実施の形態１を用いて、本発明の特に請求項１に記載の発明について説明する。
【００２０】
図１は本発明のスピーカの半断面図であり、ここで、１は磁気回路、２はプレート、３はマグネット、４はヨーク、５はフレーム、６はボイスコイル、７はダンパー、８は振動板、９はダストキャップ、１０はダンパー７に設けられた開孔部、１１は開孔部１０を覆う弾性体である。
【００２１】
図２はダンパー７の要部拡大平面図である。
【００２２】
前述した図４のような従来のスピーカでは、一般的にスピーカの振幅によってダンパー２７の柔軟度に急な変化はない。
【００２３】
このため、振幅が増えた場合でも十分な振幅制御はかからない。
【００２４】
これに対して、本発明のスピーカでは、ダンパー７において、開孔部１０が設けられた内周部の柔軟度は他の部分に比べて局部的に高く、振幅が始まるとまずこの部分が変位する。
【００２５】
また、開孔により減少したダンパーの復元力は、開孔部を覆う弾性体のバネ作用で、柔軟度を低下させずに補われる。
【００２６】
このため、ボイスコイルに十分磁束が加わる小振幅において、スピーカは容易に振幅し、豊かな低音を再生することができ、さらに入力信号に対して忠実な高音質再生が可能となる。
【００２７】
なお、開孔のあるダンパーは、ないものに比べて全体としての柔軟度も上昇するため、スピーカのＦoを一定に保つには、ダンパー材を予め硬いものにしておく必要がある。
【００２８】
その後、振幅が増えて内周部が一定の変位に達すると、開孔のない部分の変位が増加していく。
【００２９】
大振幅では、この柔軟度の低い部分がスピーカの振幅を抑え、ボイスコイルが磁気回路から外れて発生する歪や異常音を改善するものである。
【００３０】
図３はダンパーの「力−変位」曲線図を示すもので、横軸が力、縦軸が変位であり、ａは従来のダンパーによるもの、ｂは同じダンパーの内周部に開孔部と弾性体を設けたものである。
【００３１】
これによると、１〜２ｍｍの小さな変位ではｂのカーブがａより立っており、柔軟度が高いことが分かる。
【００３２】
さらに、変位が２.５ｍｍを超えるあたりから両カーブは平行に近づき、柔軟度が同等になっていくことが分かる。
【００３３】
本発明において、ｂのダンパーの基材をａより適度に硬くしておくことで、同等のＦoで、小振幅ではより変位し易く、大振幅ではより振幅制御のかかるスピーカを実現することができる。
【００３４】
なお、弾性体１１はゴムやポリマー樹脂を成型やコーティングすることで得ることができる。
【００３５】
但し、弾性体１１をダンパーに塗布し過ぎると、重量で音圧が低下したり、粘性抵抗により音質が劣化したりするため、塗布量は必要最小限とし、コルゲーション全周を連続で覆うことは好ましくない。
【００３６】
（実施の形態２）
以下、実施の形態２を用いて、本発明の特に請求項２に記載の発明について説明する。
【００３７】
本実施形態と実施の形態１との相違点は、ダンパー７とボイスコイル６との接着部に干渉しない範囲で、最内周のコルゲーションに開孔部１０と弾性体１１を設けたことである。
【００３８】
この構成とすることにより、ダンパーの柔軟度変化はスピーカが振幅を始めてから最も早く発生するため、小振幅において、スピーカは容易に振幅し、より豊かな低音を再生することができ、さらに入力信号に対してより忠実な高音質再生が可能となる。
【００３９】
よって、磁極幅とボイスコイルの巻き幅が近いためにボイスコイルが磁気回路から外れ易いフルレンジタイプのスピーカなどにおいて、より適したものとすることができる。
【００４０】
（実施の形態３）
以下、実施の形態３を用いて、本発明の特に請求項３に記載の発明について説明する。
【００４１】
本実施形態と実施の形態１または実施の形態２との相違点は、弾性体１１をシリコン系樹脂としたことである。
【００４２】
これにより、耐熱性などの信頼性を向上させることができる。
【００４３】
特に、ダンパーの内周部コルゲーションは、発熱体であるボイスコイルに近いため、
このボイスコイルに近い部位に、耐熱性や温度による柔軟度特性が安定したシリコン系樹脂を配することで、信頼性の向上とＦo値や音圧周波数特性の熱的安定性の向上を実現することができる。
【産業上の利用可能性】
【００４４】
本発明にかかるスピーカは、各種音響機器に用いられるスピーカにおいて、豊かな低音を保ったまま大振幅時の歪や異常音の改善を必要とされる場合に適用できる。
【符号の説明】
【００４５】
１  磁気回路
２  プレート
３  マグネット
４  ヨーク
５  フレーム
６  ボイスコイル
７  ダンパー
８  振動板
９  ダストキャップ
１０  開孔部
１１  弾性体
２１  磁気回路
２２  プレート
２３  マグネット
２４  ヨーク
２５  フレーム
２６  ボイスコイル
２７  ダンパー
２８  振動板
２９  ダストキャップ
【図１】
2011166335.tif 000003
【図２】
2011166335.tif 000004
【図３】
2011166335.tif 000005
【図４】
2011166335.tif 000006